(57)【特許請求の範囲】
【請求項１】
記録媒体の作成要求に基づき、内部に収納している未使用の記録媒体に所望のデータを記録する記録媒体作成装置であって、
未使用の前記記録媒体を複数収納する未使用媒体収納部と、
未使用の前記記録媒体に前記所望のデータを書き込む複数のデータ記録部と、
前記未使用媒体収納部または前記データ記録部から前記記録媒体を取出して搬送する記録媒体搬送部と、
前記記録媒体搬送部の動作を制御する搬送制御部と、
を備え、
前記搬送制御部は、電源投入に伴う初期設定動作として、前記未使用媒体収納部から未使用の前記記録媒体を取出して前記データ記録部へセットする際に、一つの前記データ記録部にのみ搬送し、残りの前記データ記録部に対する搬送は、前記初期設定終了後の前記記録媒体搬送部の空き時間に行われるように前記記録媒体搬送部を制御することを特徴とする記録媒体作成装置。
【請求項２】
前記搬送制御部はさらに、前記記録媒体の搬送要求がないときに、前記記録媒体がセットされていない前記データ記録部に対して、未使用の前記記録媒体をセットするよう前記記録媒体搬送部を制御することを特徴とする請求項１に記載の記録媒体作成装置。
【請求項３】
前記搬送制御部はさらに、電源オフ信号を受信したときに、前記記録媒体搬送部を制御して、電源を落とす前に前記データ記録部にセットされている未使用の前記記録媒体を取出して前記未使用媒体収納部へ戻すことを特徴とする請求項１乃至２のいずれか１項に記載の記録媒体作成装置。
【請求項４】
複数のデータ記録部を備え、記録媒体の作成要求に基づき、内部に収納している未使用の記録媒体に所望のデータを記録する記録媒体作成装置において、
（ａ）電源投入後に初期設定動作として、一つの前記データ記録部に対してのみ、前記未使用の記録媒体をセットする工程と、
（ｂ）前記初期設定終了後において、前記記録媒体がセットされていない前記データ記録部の存在を確認する工程と、
（ｃ）前記記録媒体がセットされていない前記データ記録部が存在するときには、該データ記録部に対して、記録媒体搬送部の空き時間に未使用の前記記録媒体をセットする工程と、
を備えることを特徴とする記録媒体搬送制御方法。
【請求項５】
さらに、
（ｄ）電源オフの要求があったときに、前記データ記録部にセットされている未使用の前記記録媒体を取出して、収納部へ戻す工程を備えることを特徴とする請求項４に記載の記録媒体搬送制御方法。
【発明の詳細な説明】
【技術分野】
【０００１】
本発明は、長期保存可能な記録媒体にデータを書込む記録媒体作成装置に関するものであり、特に、記録媒体を高速で作成することのできる記録媒体作成装置及び記録媒体搬送制御方法に関する。
【背景技術】
【０００２】
大量のデータを長期間保存可能な記録媒体として、ＣＤ、ＤＶＤなどの光ディスクが普及している。光ディスクにデータを書き込むための装置としては、ＣＤ／ＤＶＤ等に記録する記録メディアドライブ（読書装置）が種々販売されている。これらの装置は、ＰＣ等のホスト装置に接続されて、ホスト装置からの命令に基づいて、ホスト装置から受信したデータを光ディスクに書込み記録するものが一般的である。
【０００３】
また、ビジネス用途の記録媒体作成装置として、例えば特許文献１に、未使用の記録媒体を収納するホルダと、ＣＤ記録部と、ラベルプリンタ部と、既記録ＣＤホルダとを備えており、医療用画像を未使用の記録媒体に記録した後、識別ラベルを印刷し、既記録ＣＤホルダに保管する記録媒体作成装置が開示されている。
【０００４】
【特許文献１】特開２００２−５８６４９号公報
【発明の開示】
【発明が解決しようとする課題】
【０００５】
しかし、このような記録媒体作成装置においては、記録が必要なときに、手動により又は自動的に未使用の記録媒体をＣＤ記録部にセットして、所望のデータを書込むものである。すなわち、内部に収納されている未使用記録媒体に所望の記録データを書き込む場合には、書込み命令を実行する際に、まず未使用の記録媒体を収納部から取出し、ＣＤ記録部（データ記録部）まで搬送してセットすることが必要となる。このような未使用の記録媒体の取出し、搬送、及びセットする動作は、物理的な動きを伴うものであるため多くの時間を必要とする。そのため、データ記録部へ未使用記録媒体を移動する時間は、記録媒体の作成処理の高速化にとっての大きな阻害要因となっている。
【０００６】
本発明は、このような問題点に鑑みなされたもので、記録媒体作成処理の段階における未使用記録媒体の移送時間を実質的になくすことにより、記録媒体の作成処理を高速化する記録媒体作成装置及び記録媒体搬送制御方法を提供することを目的とする。
【課題を解決するための手段】
【０００７】
本発明は、上記従来技術の問題点に鑑みなされたもので、電源投入直後、又は、空き時間に未使用の記録媒体をデータ記録装置にセットすることにより、書込み命令があったらすぐに書込みを開始できるよう構成して、上記課題を達成する。
【０００８】
本発明の第１の態様にかかる記録媒体作成装置は、記録媒体の作成要求に基づき、内部に収納している未使用の記録媒体に所望のデータを記録する記録媒体作成装置であって、未使用の前記記録媒体を複数収納する未使用媒体収納部と、未使用の前記記録媒体に前記所望のデータを書き込む複数のデータ記録部と、前記未使用媒体収納部または前記データ記録部から前記記録媒体を取出して搬送する記録媒体搬送部と、前記記録媒体搬送部の動作を制御する搬送制御部とを備え、前記搬送制御部は、電源投入に伴う初期設定動作として、前記未使用媒体収納部から未使用の前記記録媒体を取出して前記データ記録部へセットする際に、一つの前記データ記録部にのみ搬送し、残りの前記データ記録部に対する搬送は、前記初期設定終了後の前記記録媒体搬送部の空き時間に行われるように前記記録媒体搬送部を制御することを特徴とする。
【０００９】
この態様は、電源投入後すぐに、データ記録部の少なくとも一つに未使用の記録媒体をセットし、いつでも書き込むことができる状態にするものである。ビジネス使用の記録媒体作成装置においては、一日の業務開始の前に余裕を持って電源を投入するのが一般的であるので、電源直後からすぐに記録媒体の作成要求がなされることは稀である。従って、電源投入直後に未使用記録媒体をデータ記録部に搬送しておけば、書込み要求後の搬送は不要となり、書込み段階における搬送待ち時間は実質的ゼロとなる。特に複数のデータ記録部を備える記録媒体作成装置において、複数のデータ記録部に未使用記録媒体をセットしておくことにより、急に複数の書込み要求があった場合でも、それぞれのデータ記録部における未使用記録媒体の搬送が不要となり、この効果はさらに大きくなる。
【００１０】
さらに記録媒体作成装置は、前記搬送制御部が、電源投入に伴う初期設定動作として、未使用の前記記録媒体を一つの前記データ記録部にのみ搬送することを特徴とする。この態様では、複数のデータ記録部を備える場合において、一つのデータ記録部への未使用記録媒体のセットが終わった段階で初期設定を完了させることにより、すぐに作成要求の受付処理を行うことができるようにしている。これにより、初期立ち上げ動作を早く完了させて、電源投入後の書込み要求に迅速に対応できる。
【００１１】
本発明の他の態様にかかる記録媒体作成装置は、前記搬送制御部がさらに、前記記録媒体の搬送要求がないときに、前記記録媒体がセットされていない前記データ記録部に対して、未使用の前記記録媒体をセットするよう前記記録媒体搬送部を制御することを特徴とする。この態様では、電源投入後の初期設定のみならず、稼動中においても、データ記録部に未使用記録媒体がセットされているかどうかを監視しており、データ記録部による書き込みが終わり、書込み済みの記録媒体が印刷部へ搬送されたら、すぐに未使用記録媒体をセットするようにしたものである。これにより、データ記録部には、速やかに未使用記録媒体がセットされることになり、書込み命令があったらすぐに書込みを開始することができ、書込み命令後の未使用記録媒体の搬送時間を節約することが可能となる。
【００１２】
本発明の他の態様にかかる記録媒体作成装置は、前記搬送制御部がさらに、電源オフ信号を受信したときに、前記記録媒体搬送部を制御して、電源を落とす前に前記データ記録部にセットされている未使用の前記記録媒体を取出して前記未使用媒体収納部へ戻すことを特徴とする。この態様は、電源をシャットダウンする際に、データ記録部から未使用記録媒体を取出し、未使用媒体収納部に収納するものである。これにより、未使用記録媒体またはデータ記録部の破損の危険を防止する。
【００１３】
本発明の第１の態様にかかる記録媒体搬送制御方法は、少なくとも１つのデータ記録部を備え、記録媒体の作成要求に基づき、内部に収納している未使用の記録媒体に所望のデータを記録する記録媒体作成装置において、（ａ）電源投入の直後に初期設定動作として、一つの前記データ記録部に対してのみ、前記未使用の記録媒体をセットする工程と、（ｂ）前記初期設定終了後において、前記記録媒体がセットされていない前記データ記録部の存在を確認する工程と、（ｃ）前記記録媒体がセットされていない前記データ記録部が存在するときには、該データ記録部に対して、記録媒体搬送部の空き時間に未使用の前記記録媒体をセットする工程と、を備えることを特徴とする。
【００１５】
本発明の他の態様にかかる記録媒体搬送制御方法は、さらに、（ｄ）電源オフの要求があったときに、前記データ記録部にセットされている未使用の前記記録媒体を取出して、収納部へ戻す工程を備えることを特徴とする。
【発明の効果】
【００１６】
本発明によると、電源投入の後すぐにデータ記録部へ未使用の記録媒体が搬送されるので、記録媒体の作成要求があったときにはすぐに記録データの書込みを開始することができる。そのため、記録媒体の作成要求があった後に、未使用記録媒体を取出してデータ記録部へセットするための搬送及びセット時間が不要となり、記録媒体の作成要求から完成までの作成時間を早くすることが可能となる。また、記録媒体搬送部の空き時間中に、未使用記録媒体をデータ記録部へ搬送してセットするように構成することにより、記録媒体搬送部の利用効率を高め、記録媒体の作成速度をより速くすることが可能となる。
【発明を実施するための最良の形態】
【００１７】
図面を用いて本発明の実施形態を説明する。図１は本発明の一実施形態にかかる記録媒体作成装置１０の基本構成を示す機能ブロック図である。
【００１８】
記録媒体作成装置１０は、通信インタフェース１１を介して、ＰＣ等からなるホスト装置９０、ＬＡＮ等のネットワークに接続された複数のクライアント９１及びサーバ９２(以下、「クライアント等９０〜９２」と称する）に接続されている。記録媒体作成装置１０は、クライアント等９０〜９２からの要求に基づいて、内部に収納しているＣＤ／ＤＶＤ等の未使用の記録媒体に、クライアント等９０〜９２から受信したデータを書き込み、書き込みが完了した記録媒体のレーベル面に所定の印刷（レーベル印刷）を行う（このように、所望のデータを記録媒体に書込みレーベル印刷をすることを、本実施形態では「記録媒体の作成」と称する）。作成された記録媒体は、発行要求があるまで、内部の保管部１６に保管される。作成後保管しないでそのまま取出ゲート１７から排出することも可能である。
【００１９】
本発明は、このような記録媒体作成装置において、電源投入時の初期設定動作において、未使用記録媒体をデータ記録部に搬送しておくことにより、記録媒体作成の要求があったら、すぐにデータの書込み処理ができるように構成したものである。
【００２０】
以下、図１に示す実施形態に基づいて、本発明を詳細に説明する。尚、本明細書においては、何も書込まれていない未使用の記録媒体を「未使用記録媒体」と称し、データが書込まれ、印刷が完了した媒体を「作成済記録媒体」と称し、データが書込まれたか否かを特に区別しないときには単に「記録媒体」と称する。
【００２１】
＜記録媒体作成装置の構成＞
記録媒体作成装置１０は、通信インタフェース１１、論理制御部１２、記録媒体を作成するための各種デバイス等１３〜１９、及び操作部２０を備えている。論理制御部１２は、通信インタフェース１１を介してクライアント等９０〜９２に接続されており、クライアント等９０〜９２の要求を受付け、各種デバイス等１３〜１９の動作を制御して、要求のあったデータを未使用記録媒体に書き込むことにより所望の記録媒体を作成する。論理制御部１２は、ＣＰＵ及び制御ソフトウェア等からなり、管理制御部２１と装置制御部２２を備えている。
【００２２】
管理制御部２１は、受付処理部２３と、作成制御部２４とを備えている。受付処理部２３は、クライアント等９０〜９２からの作成要求があると、作成要求を受付け、作成要求者に関する情報及び記録媒体に書込むデータ等をハードディスク装置１３に一時記憶する。作成制御部２４は、受付けられた作成要求を受付順に処理する。具体的には、装置制御部２２に制御命令を発して記録媒体を作成し、作成した記録媒体を保管部１６に収納する。受付処理部２３はさらに、保管された作成済記録媒体を取出すための発行要求を受付ける。発行要求を受付けると、作成制御部２４は搬送制御部２５を制御して、保管部１６から要求された作成済記録媒体を取出し、取出ゲート１７に搬送する。
【００２３】
装置制御部２２は、管理制御部２１の制御命令に従い、各種デバイス等１４〜１９の動作を制御する。装置制御部２２は、記録媒体搬送部１９の動作を制御する搬送制御部２５、複数のデータ記録部１４ａ〜１４ｎの動作を制御する記録制御部２６、レーベル印刷部１５の動作を制御する印刷制御部２７、保管部１６及び未使用媒体収納部１８の収納状況を管理する収納管理部２８、取出ゲート１７の開閉を制御するゲート制御部２９を備えている。
【００２４】
＜管理制御部の基本処理手順の例＞
図２に、管理制御部２１の基本動作手順の一例を示す。電源が投入されると（Ｓ１０１；Ｙｅｓ）、電源投入時の初期設定処理が開始される（Ｓ１０２）。この初期設定処理により、後述する初期搬送処理も起動される。次にクライアント等９０〜９２からの作成要求があるかどうか（Ｓ１０３）、クライアント等９０〜９２または操作部２０からの発行要求があるかどうか（Ｓ１０６）、操作入力があるかどうか（Ｓ１０８）、及び電源オフの要求があるかどうか（Ｓ１１０）が順次確認される。操作入力とは、例えば、未使用媒体収納部１８に収納されている未使用記録媒体の残数の確認、インク補給等のための操作をするための入力である。
【００２５】
作成要求があると（Ｓ１０３；Ｙｅｓ）、受付処理部２３により作成要求受付処理が実行され（Ｓ１０４）、続いて作成制御部２４により受付順に作成処理が起動される（Ｓ１０５）。作成要求の受付処理においては、前述したとおり、記録媒体に書込むデータ等がハードディスク装置１３に記憶されるとともに、受付け完了時に作成要求者に対して受付識別情報が発行される。作成処理についてはさらに後述する。
【００２６】
発行要求があると（Ｓ１０６；Ｙｅｓ）、発行処理が起動される（Ｓ１０７）。発行要求の際には、作成要求の受付時に発行された受付識別情報が入力され、これにより発行する作成済記録媒体を特定する。発行処理が実行されることにより、指定された作成済記録媒体が保管部１６から取り出されて、取出ゲート１７まで搬送される。その後、取出ゲート１７が開閉されまたは開閉可能となり、作成済記録媒体の取出しが可能となる。
【００２７】
操作入力があると（Ｓ１０８；Ｙｅｓ）、操作入力処理が起動されて（Ｓ１０９）、未使用記録媒体の収納枚数の表示、未使用記録媒体を補給するための未使用媒体収納部１８の開閉等の各種操作入力に応じた処理が実行される。
【００２８】
電源ＯＦＦの要求があるまで同様の処理が繰り返され（Ｓ１１０；Ｎｏ、Ｓ１０３〜Ｓ１０９）、電源ＯＦＦの要求があると（Ｓ１１０；Ｙｅｓ）、レジスタ及びパラメータのクリア、後述する戻し搬送処理等を行う（Ｓ１１１）。戻し搬送処理等のすべてのシャットダウン処理が完了すると（Ｓ１１２；Ｙｅｓ）、電源をシャットダウンする（Ｓ１１３）。
【００２９】
＜作成処理手順＞
図３を用いて、作成制御部２４による記録媒体作成の基本的な処理手順の一例を説明する。作成要求の受付が終わると、作成処理が起動される(図２のＳ１０５）。作成処理が起動されると、未使用記録媒体がデータ記録部１４にセットされているかどうかが確認される（Ｓ２０１）。複数のデータ記録部１４ａ〜１４ｎが存在する場合には、いずれかのデータ記録部１４ａ〜１４ｎに未使用記録媒体がセットされていればＹｅｓとなる。いずれのデータ記録部１４ａ〜１４ｎにも未使用記録媒体がセットされていない場合には（Ｓ２０１；Ｎｏ）、未使用媒体搬送命令を装置制御部２２に出力して（Ｓ２０２）、未使用記録媒体をデータ記録部１４にセットすることを要求する。これにより未使用媒体搬送処理が起動される。
【００３０】
未使用記録媒体がいずれかのデータ記録部１４ａ〜１４ｎにセットされている場合（Ｓ２０１；Ｙｅｓ）、そのデータ記録部１４に書込み命令が出力され、受付け時にハードディスク装置１３に一時記憶した書込みデータが読み出されて、データ記録部１４の未使用記録媒体に書込まれる（Ｓ２０３）。書込みが終了すると書込み済みの記録媒体をレーベル印刷部１５に搬送できるかどうか（使用中であるかどうか）が確認される（Ｓ２０４）。レーベル印刷部１５が使用中である等の理由により搬送できない場合には、搬送できるようになるのを待つ（Ｓ２０４；Ｎｏ）。
【００３１】
レーベル印刷部１５への搬送が可能である場合（Ｓ２０４；Ｙｅｓ）、書込み済みの記録媒体をレーベル印刷部１５へ搬送する印刷搬送要求を出力する（Ｓ２０５）。これにより装置制御部２２により印刷搬送処理が起動されて、書込み済みの記録媒体がデータ記録部１４からレーベル印刷部１５に搬送される。レーベル印刷部１５への搬送が終了すると（Ｓ２０６；Ｙｅｓ）、装置制御部２２に印刷実行命令が出力され、レーベル印刷が実行される（Ｓ２０７）。
【００３２】
レーベル印刷が完了すると、作成された記録媒体（作成済記録媒体）を、保管部１６または取出ゲート１７に搬送する搬送命令が装置制御部２２に出力される。これにより装置制御部２２は、記録媒体搬送部１９を制御して、作成済記録媒体を保管部１６または取出ゲート１７に搬送する。保管部１６に搬送するか、取出ゲート１７に搬送するかは、作成要求時の設定情報により決定される。
【００３３】
＜搬送制御部＞
図４に、搬送制御部２５の一実施形態にかかる機能ブロック図を示す。搬送制御部２５は、搬送制御における全体動作を制御する基本搬送制御部３１、基本搬送制御部３１の制御の下、初期設定時の搬送動作を制御する初期搬送制御部３２、未使用記録媒体を未使用媒体収納部１８からデータ記録部１４に搬送する未使用媒体搬送制御部３３、データ記録部１４からレーベル印刷部１５に搬送する印刷搬送制御部３４、レーベル印刷部１５から保管部１６または取出ゲート１７に搬送する収納搬送制御部３５、発行処理時に保管部１６から取出ゲート１７に搬送する発行搬送制御部３６、及び電源オフ時のシャットダウン処理として、データ記録部１４から未使用媒体収納部１８に搬送する戻し搬送制御部３７を備えている。これらの各搬送制御部３２〜３７は、基本搬送制御部３１の命令に基づいて、それぞれの搬送を実行するようにプログラムされている。
【００３４】
図５に、前記各搬送制御部３２〜３７による記録媒体の搬送を模式的に示す。図中（１）は、初期搬送制御部３２または未使用媒体搬送制御部３３の搬送制御による記録媒体の移動を示している。初期搬送処理または未使用媒体搬送処理では、未使用媒体収納部１８から未使用記録媒体８０を取出し、データ記録部１４ａ〜１４ｎに搬送する。（２）は、印刷搬送制御部３４の搬送制御による記録媒体の移動を示す。印刷搬送処理では、データ記録部１４ａ〜１４ｎにおいて記録データの書込みが終わった記録媒体８１を、レーベル印刷部１５に搬送する。
【００３５】
図中の（３ａ、ｂ）は、収納搬送制御部３５の搬送制御による記録媒体の移動を示している。レーベル印刷が終了して完成した作成済記録媒体８２は、作成要求時の設定に従い、保管部１６に搬送されるか（３ａ）、または取出ゲート１７に搬送される（３ｂ）。図中（４）は、発行搬送制御部の搬送制御による記録媒体の移動を示している。発行搬送要求があると、指定された作成済記録媒体８２を保管部１６から取出し、取出ゲート１７に搬送する。最後に図中の（５）は、戻し搬送制御部３７の搬送制御による記録媒体の移動を示している。戻し搬送処理は、電源のシャットダウン要求があったときに、データ記録部１４ａ〜１４ｎに残っている未使用記録媒体８０を、電源をオフする前に未使用媒体収納部１８に戻す。
【００３６】
以下、図６乃至図１０を用いて、基本搬送制御部３１による基本搬送制御手順、初期搬送処理手順、戻し搬送処理手順、及び未使用記録媒体搬送処理手順の実施例を説明する。
【００３７】
＜基本搬送制御手順について＞
図６は、基本搬送制御部３１の基本搬送制御手順の一実施例を示すフローチャートである。電源が投入されると、図６に一例として示すような基本搬送制御部３１の基本搬送制御処理手順が起動される。基本搬送制御処理では、何らかの搬送要求があるかどうかが確認され（Ｓ３０１）、搬送要求が何もない場合に（Ｓ３０１；Ｎｏ）、未使用記録媒体搬送処理が起動される（Ｓ３０２）。未使用記録媒体搬送処理については、後述する。
【００３８】
何らかの搬送要求があると（Ｓ３０１；Ｙｅｓ）、２以上の搬送要求が競合しているかどうかを確認し（Ｓ３０３）、競合していなければ（Ｓ３０３；Ｎｏ）、要求された搬送処理を実行する（Ｓ３０４）。２以上の搬送要求が競合している場合には（Ｓ３０３；Ｙｅｓ）、競合する搬送処理要求の優先順位を判定し（Ｓ３０５）、優先順位の高い方の搬送処理を実行する（Ｓ３０６）。
【００３９】
優先順位は、作成処理手順、記録媒体作成装置１０に設けられているレーベル印刷部１５及びデータ処理部１４の数等に鑑み、作成処理の効率を低下させるおそれの強い搬送処理が高い優先順位となるように判定することが望ましい。例えば、データ記録部１４が一つしかない場合において、印刷搬送処理と未使用記録媒体搬送処理が競合した場合には、印刷搬送処理が終わらないと未使用記録媒体搬送処理ができないので、印刷搬送処理の優先順位が高くなるように判定する。同様にレーベル印刷部が一つしかない場合に、収納搬送処理と印刷搬送処理が競合した場合には、収納搬送処理の優先順位が高くなるように優先順位を判定する。
【００４０】
以上の各工程が、電源オフ要求があるまで繰り返し行われる（Ｓ３０７；Ｎｏ、Ｓ３０１〜Ｓ３０６）。電源オフ要求があると（Ｓ３０７；Ｙｅｓ）、戻し搬送処理が実行され（Ｓ３０８）、データ記録部１４から未使用記録媒体が取出されて、未使用媒体収納部１８へ戻される。すべてのデータ記録部１４ａ〜１４ｎの未使用記録媒体の戻し搬送が完了すると（Ｓ３０９；Ｙｅｓ）、基本搬送制御手順は終了する。
【００４１】
＜初期搬送処理手順１＞
図７に、初期搬送処理手順の一例を示す。記録媒体作成装置１０の電源が投入されると、管理制御部２１及び装置制御部２２の基本処理手順が起動される。この管理制御部２１の初期設定処理により装置制御部２２に初期搬送処理要求が出力される（図２のＳ１０２）。この段階では、まだ初期搬送処理以外に搬送要求は存在しないので(図６のＳ３０３；Ｎｏ)、装置制御部２２の搬送制御部２５により、初期搬送処理要求が起動される（同Ｓ３０４）。これにより、図７の初期搬送処理が実行される。
【００４２】
初期搬送処理では、まず、未使用媒体収納部１８から未使用記録媒体８０が取出される（Ｓ４０１）。取出された未使用記録媒体８０は、データ記録部１４に搬送される（Ｓ４０２）。データ記録部１４が複数ある場合には、全データ記録部１４に未使用記録媒体８０が搬送されたかどうかが確認され（Ｓ４０３）、すべてのデータ記録部１４に未使用記録媒体８０が搬送されるまで、同様の搬送処理が繰り返される（Ｓ４０３；Ｎｏ、Ｓ４０１、Ｓ４０２）。すべてのデータ記録部１４への未使用記録媒体８０の搬送が完了すると（Ｓ４０３；Ｙｅｓ）、完了信号を送信して（Ｓ４０４）、初期搬送処理を終了する。
【００４３】
＜初期搬送処理手順２＞
図８に、他の実施例にかかる初期搬送処理手順を示す。この初期搬送処理手順２も初期搬送処理手順１とほぼ同様であるが、記録媒体作成装置１０が複数のデータ記録部１４を備えている場合であっても、１台のデータ記録部１４に未使用記録媒体８０を搬送した時点で初期搬送処理を終了する点（Ｓ５０３；Ｙｅｓ）において初期搬送処理手順１と異なっている。１台のデータ記録部１４にセットした時点で初期設定動作を終了させることにより、初期設定時間を短縮することが可能となり、電源投入後短い時間で、書込み処理要求を受付けることが可能となる。
【００４４】
＜戻し搬送処理手順＞
図９に、戻し搬送処理手順の一例を示す。戻し搬送処理は、シャットダウン要求に基づき起動される（図２のＳ１１１、図６のＳ３０７；Ｙｅｓ）。戻し搬送処理が起動されると、予め定められた優先順位に従ってデータ記録部１４から一つずつ未使用記録媒体８０を取出し（Ｓ６０１）、取出した未使用記録媒体８０を未使用媒体収納部１８に収納する（Ｓ６０２）。すべてのデータ記録部１４の未使用記録媒体８０を未使用媒体収納部１８に戻したら（Ｓ６０６；Ｙｅｓ）、戻し搬送完了信号を出力して（Ｓ６０４）、戻し搬送処理を終了する。これにより、電源がオフされる（図２のＳ１１２、Ｓ１１３）。
【００４５】
＜未使用記録媒体搬送処理手順＞
図１０に、未使用記録媒体搬送処理手順の一例を示す。未使用記録媒体搬送処理は、いずれの搬送要求もなされていないとき（図６のＳ３０２）、または作成要求があったにもかかわらずデータ記録部１４に未使用記録媒体８０がセットされていないとき（図３のＳ２０２に基づく図６のＳ３０４）に起動される。未使用記録媒体搬送処理では、まず空いているデータ記録部１４があるかどうかが確認され（Ｓ７０１）、空いているデータ記録部１４が無ければ（Ｓ７０１；Ｎｏ）、処理を終了する。空いているデータ記録部１４があれば（Ｓ７０１；Ｙｅｓ）、未使用媒体収納部１８から未使用記録媒体８０を取出し（Ｓ７０２）、空いているデータ記録部１４へ未使用記録媒体８０を搬送する。これにより、データ記録部１４に空きがあると、搬送命令がなく記録媒体搬送部１９が動作していない空き時間に、未使用記録媒体８０をデータ記録部１４に搬送することができ、空き時間を効率的に活用することができる。これにより、書込み要求時に未使用記録媒体８０を取り出してセットする動作が不要となり記録媒体の作成効率を向上させることが可能となる。
【００４６】
以上の説明においては、記録媒体への書込み後にレーベル印刷する例を示したが、レーベル印刷の有無は本発明にとって本質的なことではなく、データの書込みのみを行う記録媒体作成装置についても、本発明を適用することが可能である。
【００４７】
また、上記実施形態では初期設定時の初期搬送処理により未使用記録媒体をデータ記録部に搬送しているが、初期搬送処理は行わず、電源投入後の空き時間にのみ、未使用記録媒体をデータ記録部へ搬送するように構成してもよい。これにより、初期設定動作をよりシンプルにすることが可能であり、実質的に初期設定したのと同様の効果を得ることが可能である。
【００４８】
さらに、戻し搬送処理も行わずに、一度搬送した未使用記録媒体は、電源をオフする際にもそのままデータ記録部にセットしたまま残しておくように構成することもできる。
【図面の簡単な説明】
【００４９】
【図１】本発明の一実施形態にかかる記録媒体作成装置の基本構成を示す機能ブロック図である。
【図２】本発明の一実施形態にかかる管理制御部の基本動作手順の一例を示すフローチャートである。
【図３】本発明の一実施形態にかかる作成制御部による記録媒体作成の基本的な処理手順の一例を示すフローチャートである。
【図４】本発明の一実施形態にかかる搬送制御部の機能ブロック図である。
【図５】各搬送制御部による記録媒体の搬送を模式的に示す図である。
【図６】基本搬送制御手順の一例にかかるフローチャートである。
【図７】初期搬送処理手順の一例を示すフローチャートである。
【図８】初期搬送処理手順の他の実施例を示すフローチャートである。
【図９】本発明にかかる戻し搬送処理手順の一例を示すフローチャートである。
【図１０】本発明の一実施形態にかかる未使用記録媒体搬送処理手順の一例を示すフローチャートである。
【符号の説明】
【００５０】
１０  記録媒体作成装置                  １１  通信インタフェース
１２  論理制御部                        １３  ハードディスク装置
１４ａ〜１４ｎ  データ記録部            １５  レーベル印刷部
１６  保管部                            １７  取出ゲート
１８  未使用媒体収納部                  １９  記録媒体搬送部
２０  操作部                            ２１  管理制御部
２２  装置制御部                        ２３  受付処理部
２４  作成制御部                        ２５  搬送制御部
２６  記録制御部                        ２７  印刷制御部
２８  収納管理部                        ２９  ゲート制御部
３１  基本搬送制御部                    ３２  初期搬送制御部
３３  未使用媒体搬送制御部              ３４  印刷搬送制御部
３５  収納搬送制御部                    ３６  記録制御部
３７  戻し搬送制御部                    ８０  未使用記録媒体
８１  書込み済みの記録媒体              ８２  作成済記録媒体
９０  ホスト装置                        ９１  クライアント
９２  サーバ
【図１】
0004701996.tif 000002
【図２】
0004701996.tif 000003
【図３】
0004701996.tif 000004
【図４】
0004701996.tif 000005
【図５】
0004701996.tif 000006
【図６】
0004701996.tif 000007
【図７】
0004701996.tif 000008
【図８】
0004701996.tif 000009
【図９】
0004701996.tif 000010
【図１０】
0004701996.tif 000011